(57)【特許請求の範囲】
【請求項１】
レンズを保持する樹脂製のフロントフレームと、このフロントフレームの裏面両側に埋設された埋設部と、この両埋設部にそれぞれ一端が固着され、外方及び内方に湾曲しているＳ字状の弾性体と、この弾性体の前記埋設部と反対側に丁番を介してそれぞれ設けられ、芯部と、この芯部を覆う覆い部とから形成され、覆い部の後端部がモダンとなっているテンプルと、から構成したことを特徴とする眼鏡フレーム。
【請求項２】
前記フロントフレームの裏面中央部に凹部を設け、ノーズパッドを有するノーズパッド組立て体に挿入部を設け、前記凹部に前記挿入部を挿入した状態でねじ止め可能としたことを特徴とする請求項１に記載の眼鏡フレーム。
【発明の詳細な説明】
【技術分野】
【０００１】
この発明はレンズの周囲を保持する樹脂製のフロントフレームの両側に埋設された埋設部に弾性体を介してテンプルを取り付けた眼鏡フレームに関するものである。
【背景技術】
【０００２】
一般に眼鏡のフレームにあっては、特許文献１に示すようなフルリムタイプのものや、ハーフリムタイプが存在する。そして、左右レンズを取り付けるリムの裏面両側にはそれぞれ埋設部を介して使用者の頭部の側部に当接するテンプルが所定の拡開状態から内方に回動可能に取り付けられていて、折り畳み可能となっている。
【０００３】
上記のように構成されている一般的な眼鏡フレームにあっては、最大に外方に回動して停止した状態、すなわち最大拡開状態でテンプルが使用者の頭部の耳部の両側から挟んで使用者が使用しており、使用者の頭部の幅の大きさに応じて、主にテンプルの反り状態を調整したりして使用中に使用者がきつく感じないようにしていた。
【０００４】
しかしながら、上記のような従来の眼鏡フレームにあっては、主にテンプルの反り状態を調整することで使用者に最適な状態を確保しようとしているが、テンプルは鎧部と一体になっているので、テンプルの調整がリムに取り付けてある鎧部に影響を与えてしまうという問題があった。
しかも、調整は主にテンプルを調整することで行うので、どうしてもテンプルの鎧部側を変位しない状態でテンプルを湾曲させることになり、使用者の頭部にはテンプルの内面の一部が点状に当接する調整になって頭部への当接力が大きくなり、頭部に苦痛が生じる恐れがあるという問題点も有していた。
【特許文献１】特開２００３−４３４２７号公報（図１参照）
【発明の開示】
【発明が解決しようとする課題】
【０００５】
この発明は、所定の拡開状態よりも内方に折り畳み可能となっているテンプルを、弾性体を介して鎧部に連結させてテンプル全体を弾性体によって変位可能としたので、眼鏡を掛けたり外したりする時にテンプルの一方あるいは双方が拡がってテンプル間が拡がってしまって装着感が悪くなり、掛けている時にずれたり、あるいは傾斜したりする恐れを防止できる。
また、テンプル全体を弾性体によって変位可能としたので、使用者の頭部に対してテンプルの内面の一部が当接するのではなく面状で当接するようにできて使用者の頭部に対して小さい当接力が作用するようにして装着感を小さくして頭部に苦痛が生じる恐れを無くする眼鏡フレームを提供することを目的とする。
【０００６】
この発明は、所定の拡開状態よりも内方に折り畳み可能となっているテンプルを、一端がフロントフレームに固定されている弾性体の他端に連結させてテンプル全体を弾性体によって変位可能とし、これにより使用者の頭部に対してテンプルの内面の一部が当接するのではなく面状で当接するようにして使用者の頭部に対して小さい当接力が作用するようにして装着感を小さくして頭部に苦痛が生じる恐れを無くすようにし、さらに、ノーズパッドを有するノーズパッド組立て体の挿入部をフロントフレームに設けた凹部内に挿入可能、かつねじ止め可能として組立てを容易とした眼鏡フレームを提供することを目的とする。
【課題を解決するための手段】
【０００７】
この発明は、レンズを保持する樹脂製のフロントフレームと、このフロントフレームの裏面両側に埋設された埋設部と、この両埋設部にそれぞれ一端が固着され、外方及び内方に湾曲しているＳ字状の弾性体と、この弾性体の前記埋設部と反対側に丁番を介してそれぞれ設けられ、芯部と、この芯部を覆う覆い部とから形成され、覆い部の後端部がモダンとなっているテンプルと、から構成した手段を採用したものである。そして、前記弾性体とテンプルの芯部とは丁番を介して回動可能に取り付けられているとともに、所定以上に回動するのを阻止し、使用者の頭部を挟持する時は前記弾性体が変位するようにした手段を採用した。
【０００８】
また、この発明は、レンズを保持する樹脂製のフロントフレームと、このフロントフレームの裏面両側に埋設された埋設部に一端が固着され、外方及び内方に湾曲しているＳ字状の弾性体と、この弾性体の前記埋設部と反対側に丁番を介してそれぞれ設けられ、芯部と、この芯部を覆う覆い部とから形成され、覆い部の後端部がモダンとなっているテンプルとを備えるとともに、前記フロントフレームの裏面中央部に凹部を設け、ノーズパッドを有するノーズパッド組立て体に挿入部を設け、前記凹部に前記挿入部を挿入した状態でねじ止め可能とした手段を採用したものである。そして、前記弾性体とテンプルの芯部とは丁番を介して回動可能に取り付けられているとともに、所定以上に回動するのを阻止し、使用者の頭部を挟持する時は前記弾性体が変位するようにした手段を採用した。
【発明の効果】
【０００９】
この発明の眼鏡フレームにあっては、レンズを保持する樹脂製のフロントフレームと、このフロントフレームの裏面両側に埋設された埋設部に一端が固着されているとともに、中央部が内方に湾曲している一対の弾性体と、この弾性体の前記埋設部と反対側に丁番を介してそれぞれ設けられ、芯部と、この芯部を覆う覆い部とから形成され、覆い部の後端部がモダンとなっているテンプルとから構成したので、拡開時にはテンプルが変位するだけでなく、テンプル全体が弾性体によって変位可能となったので、眼鏡を掛けたり外したりする時にテンプルの一方あるいは双方が拡がってテンプル間が拡がってしまって装着感が悪くなり、掛けている時に下がったり、あるいは傾斜したりする恐れを防止できる。
また、テンプル全体を弾性体によって変位可能としたので、使用者の頭部に対してテンプルの内面の一部が当接するのではなく面状で当接するようになった。これにより使用者の頭部に対して当接力が小さくなるようにして装着感を少なくし、使用中に使用者の頭部に苦痛が生じる恐れを無くすことができる。
また、弾性体はその一端部がフロントフレームに埋設された状態で固着されているので、フロントフレームと弾性体とは強固に一体となる。
さらに、前記弾性体とテンプルとは丁番を介して回動可能に取り付けられているとともに所定以上に回動するのを阻止したので、所定以上の回動時には弾性体の変位によってテンプル自体が拡開することになって、使用者の頭部に苦痛が生じる恐れがない。
さらに、使用者の頭部を挟持する時は前記弾性体が変位するとともに前記テンプルも変位するので、頭部への当接力が小さくて良く、使用者に苦痛が生じる恐れが全くない。
さらに、弾性体を中央部が内方に湾曲させた形状としたので、テンプルを大きく拡げた場合であっても弾性体自体が変形し難くなる。
【００１１】
また、ノーズパッドを有するノーズパッド組み立て体の挿入部をフロントフレームに設けた凹部内に挿入可能、かつねじ止め可能として組み立てを容易とした。
さらに、前記弾性体とテンプルとは丁番を介して回動可能に取り付けられているとともに、所定以上に拡開するのを阻止したので、所定以上の拡開時には弾性体の変位によってテンプル自体が拡開することになって、使用者の頭部に苦痛が生じる恐れがない。したがって、使用者の頭部を挟持する時は前記弾性体が変位するとともに、前記テンプルも変位するので頭部の当接力が小さくて良くて使用者に苦痛が生じる恐れが全く無い。
【発明を実施するための最良の形態】
【００１２】
以下、図面に示すこの発明の実施例について説明する。
図１にはこの発明による眼鏡フレーム１の概略平面図が、図２には概略正面図が、そして図３には斜め上方から見た概略図がそれぞれ示されており、さらに図４にはフロントフレームと弾性体とテンプルとの連結状態の概略図が示されており、図４（ａ）は拡開した状態を示す概略図、図４（ｂ）は少し折り畳んだ状態を示す概略図、図５はフロントフレームと弾性体とテンプルとの連結状態を示す概略詳細図、図６はフロントフレームとノーズパッド組立て体との連結状態を示す概略図である。
【００１３】
この眼鏡フレーム１は樹脂製のフルリムタイプであって、左右一対のレンズ２、２が取り付けられているとともに、中央部にブリッジ部４が設けられたフロントフレーム３と、このフロントフレーム３の裏面両外側端部に設けられた弾性体５、５と、この弾性体５、５の前記フロントフレーム３との反対側に丁番６を介して設けられて使用者の頭部の耳部の上部を押圧し、その部位を挟持するようになっているテンプル７、７とを具えている。
【００１４】
前記フロントフレーム３の両側に設けられた弾性体５、５は、その一端に設けられた埋設部８、８が、フロントフレーム３の外側端部に埋設されることによりフロントフレーム３の両外側端部に固定されている。また、両弾性体５、５は中央部が内方に逆Ｕ字状に湾曲していて弾性を大きく形成されている。
【００１５】
前記両弾性体５、５の他端に丁番６、６を介して設けられたテンプル７、７は、芯部９と、この芯部９を覆う覆い部１０とから構成されている。そして、弾性体５、５の端部と芯部９、９との間が丁番６、６で連結されている。また、前記テンプル７、７は、それを構成する覆い部１０、１０が前記弾性体５、５と反対側の端部でモダン１１、１１として機能するように形成してある。
【００１６】
したがって、前記丁番６、６によって前記テンプル７、７は図に示す最大限に開放した位置とこの位置から内方に折り畳んだ位置との間を折り畳み可能となっている。
【００１７】
ノーズパッド組立て体１２は鞍状をなし、両側に脚部１３、１３を介してパッド１４、１４が取り付けられ、中央部には挿入部１５が設けられている。一方前記フロントフレーム３のうちのブリッジ部４の裏面中央部には凹部１６が穿設され、この凹部１６内にノーズパッド組立て体１２の挿入部１５が挿入可能であるとともに、挿入した状態でフロントフレーム３の凹部１６内に下方から貫通する孔１７を介して挿入部１５に設けたねじ孔１８と螺合するねじによりフロントフレーム３とノーズパッド組立て体１２とが固定されるようになっている。
【００１８】
上記のように構成された眼鏡フレーム１においては、まず、折り畳んだ状態から両テンプル７、７を拡開して使用者が使用し得る状態とする。
そして、使用者が使用を開始するために両テンプル７、７間に頭部を挿入、すなわち使用者の頭部の両耳部の上側間を両テンプル７、７で挟持させる。
【００１９】
この挟持時には両テンプル７、７を拡開するとテンプル７、７が丁番６、６を支点として拡開するだけではなく、丁番６、６と連結していて内方に湾曲している弾性体５、５を変位させることになる。
【００２０】
すなわち、拡開状態の両テンプル７、７間を頭部よりも狭くしておくことで、弾性体５、５のうちの埋設部８、８を支点として他端の部分を押し広げ、すなわち、弾性変形させることと、樹脂製のフロントフレーム３が多少変位することとが相俟ってテンプル７、７自体が使用者の頭部に面状に当接することになる。
【００２１】
したがって、一般的な眼鏡フレームの場合のようにテンプル７、７の一部が頭部と当接してその部分の頭部に大きな力を作用させて使用者が強い装着感を感じるのと異なって、テンプル７、７が面状に当接してその部分の頭部に小さい力が作用するので長時間に渡って使用しても使用者が強い装着感を感じることがない。しかも、確実に使用者の頭部を挟持しているので使用中にずれたり落下したりする恐れは全く無いものである。
【００２２】
図６にはフロントフレーム３のブリッジ部４の裏面側に取り付けられるノーズパッド組立て体１２が示されている。前記フロントフレーム３のブリッジ部４の裏面側には横長の凹部１６が設けられるとともに、ブリッジ部４の下側には前記凹部１６内に貫通する孔１７が穿設されている。一方、ノーズパッド組立て体１２の挿入部１５は前記凹部１６内に挿入可能であるとともに、挿入時に孔１７に対応した位置にねじ孔１８が穿設されている。
【００２３】
したがって、フロントフレーム３の凹部１６内にノーズパッド組立て体１２の挿入部１５を挿入させて下方から孔１７内にねじを挿入したのち挿入部１５のねじ孔１８と螺合すると、フロントフレーム３に対してノーズパッド組立て体１２が固定される。
これにより、前記実施の形態と同様に一般的な眼鏡フレームの場合のようにテンプル７、７の一部が頭部と当接してその部分の頭部に大きな力を作用させて使用者が強い装着感を感じるのと異なって、テンプル７、７が面状に当接してその部分の頭部に小さい力が作用するので長時間に渡って使用しても使用者が強い装着感を感じることがない。しかも、確実に使用者の頭部を挟持しているので使用中にずれたり落下したりする恐れは全く無いとともに、フロントフレーム３に対するノーズパッド組立て体１２の取り付けも非常に簡単である。
上記のように構成したテンプル７、７にあっても上記実施の形態と同様に最大に拡開した後のさらなる拡開は弾性体５、５がフロントフレーム３に固定された埋設部８（連結部）を支点として押し拡げられることで行われ、使用者の耳部の上部に面状に当接することになり、使用者に苦痛を与える恐れが無いものである。
【００２４】
なお、前記実施の形態においては、フルリムタイプの眼鏡フレームを示したが、これに限定することなく、ハーフリムタイプであっても良く、内方に湾曲した弾性体５、５およびこの弾性体５、５に丁番６、６を介して連結したテンプル７、７を採用することで使用者の頭部に面状に当接して小さい作用力で確実に挟持することになる。したがって、使用者が長時間に渡って使用した時であっても苦痛に感じる恐れが全く無いものである。
【図面の簡単な説明】
【００２５】
【図１】この発明による眼鏡フレームの概略平面図である。
【図２】この発明による眼鏡フレームの概略正面図である。
【図３】この発明による眼鏡フレームを斜め上方から見た概略図である。
【図４】フロントフレームと弾性体とテンプルとの連結状態の概略図を示し、（ａ）は拡開した状態を示す概略図、（ｂ）は少し折り畳んだ状態を示す概略図である。
【図５】フロントフレームと弾性体とテンプルとの連結状態を示す概略詳細図である。
【図６】フロントフレームとノーズパッド組立て体との連結状態を示す概略分解図である。
【符号の説明】
【００２６】
１……眼鏡フレーム
２……レンズ
３……フロントフレーム
４……ブリッジ部
５……弾性体
６……丁番
７……テンプル
８……埋設部（連結部）
９……芯部
１０……覆い部
１１……モダン
１２……ノーズパッド組立て体
１３……脚部
１４……パッド
１５……挿入部
１６……凹部
１７……孔
１８……ねじ孔
【図１】
0004824475.tif 000002
【図２】
0004824475.tif 000003
【図３】
0004824475.tif 000004
【図４】
0004824475.tif 000005
【図５】
0004824475.tif 000006
【図６】
0004824475.tif 000007